(57)【特許請求の範囲】
【請求項１】
基本周期抽出手段によって抽出した楽音信号の基本周期により、入力された楽音の音名を特定し、特定された音名に従って各音名に割当てた色を多色発光素子で発光させ、
基本周期抽出手段によって抽出した楽音信号の基本周期により、入力された楽音の音名を特定し、特定された音名に従って各音名に割当てた色を多色発光素子で発光させると共に、楽音信号の基準周波数からのピッチ誤差値に従って上記多色発光素子の発光量を制御する構成としたことを特徴とする調律器。
【請求項２】
請求項１記載の調律器において、上記楽音信号のピッチ誤差が基本周波数より低い側では、ピッチ誤差値の増加に従って各色の発光量を小さくし、基準周波数と一致した状態では各音名に割当てた色と何れの音名にも割当てられていない他の色を交互に発光させる構成としたことを特徴とする調律器。
【請求項３】
基本周期抽出手段によって抽出した楽音信号の基本周期により、入力された楽音の音名を特定し、特定された音名に従って各音名に割当てた色を多色発光素子で発光させると共に、楽音信号の基準周波数からのピッチ誤差値に従って上記多色発光素子の点滅速度を制御する構成としたことを特徴とする調律器。
【請求項４】
請求項３記載の調律器において、上記楽音信号のピッチ誤差が基準周波数より低い側では、ピッチ誤差値が大きい程点滅速度を速くし、基本周波数と一致した状態では各音名に割当てた色を高輝度で発光させる構成としたことを特徴とする調律器。
【請求項５】
請求項４記載の調律器において、上記楽音信号のピッチ誤差が基準周波数より高い側ではピッチ誤差値に係わらず一定速度で割当てられた色と何れの音名にも割当てられていない色を交互に発光させることを特徴とする調律器。
【請求項６】
基本周期抽出手段により抽出した楽音信号の基本周期により入力された楽音の音名が予め定めた基準音名であることを検出する基準音名検出手段と、入力された楽音の各音名毎に基準周波数からのピッチ誤差値を算出するピッチ誤差値算出手段と、３色以上発光が可能な２つの発光素子からなる２色発光素子とを具備し、上記基準音名検出手段が基準音名と判定した楽音信号の場合、上記楽音の周波数が基準周波数より低い側にずれている状態では、基準周波数に合致したことを示す色と、基準周波数よりも低いことを示す色とを交互に発光させ、上記楽音の周波数が基準周波数より高い側にずれている状態では、基準周波数に合致したことを示す色と、基準周波数よりも高いことを示す色と
を交互に発光させ、基準周波数に合致している状態では、基準周波数に合致したことを示す色を高輝度で点灯させ、上記基準音名検出手段が基準音名以外の音名と判定した楽音信号の場合、上記楽音の周波数が基準音名以外の音名の基準周波数より低い側にずれている状態では、基準音名以外の音名の基準周波数に合致したことを示す色と、基準音名以外の音名の基準周波数よりも低いことを示す色とを交互に発光させ、上記楽音の周波数が基準音名以外の音名の基準周波数より高い側にずれている状態では、基準音名以外の音名の基準周波数に合致したことを示す色と、基準音名以外の音名の基準周波数よりも高いことを示す色とを交互に発光させ、基準音名以外の音名の基準周波数に合致している状態では、基準音名以外の音名の基準周波数に合致したことを示す色を点滅発光させる構成としたことを特徴とする調律器。
【発明の詳細な説明】
【０００１】
【発明の属する技術分野】
この発明は例えばギターの各弦が正規のピッチに調律されているか否かを判定し、ずれがある場合はずれがない状態に調律することができる調律器に関する。
【０００２】
【従来の技術】
調律器は一般にセント値を使って楽器音の各音名に割り当てられている基準周波数からのずれ量を表示している。つまり、ゼロセントを中心に楽器音の周波数が基準周波数から高い方にずれている場合はプラスセント、低い方にずれている場合はマイナスセントを表示する。セント目盛のフルスケールは一般に＋５０セント、−５０セントである。
表示手段としては機械式メータ或いはＬＥＤのような発光素子を１列に配列して点灯位置を移動させる発光素子方式の表示器が用いられている。
【０００３】
【発明が解決しようとする課題】
従来の調律器は上述したように表示手段として機械式メータ或いは複数の発光素子を１列に配列して構成しているため、表示手段が占めるスペースが大きく、調律器全体の形状を小型化することができない不都合がある。また、表示手段に要するコストの割合も大きい欠点がある。
この発明の目的は表示手段を小型化し、従って調律器の形状も小型化することができる調律器を提供しようとするものである。
【０００４】
【課題を解決するための手段】
この発明の請求項１では、基本周期抽出手段によって抽出した楽音信号の基本周期により、入力された楽音の音名を特定し、特定された音名に従って各音名に割当てた色を多色発光素子で発光させ、基本周期抽出手段によって抽出した楽音信号の基本周期により、入力された楽音の音名を特定し、特定された音名に従って各音名に割当てた色を多色発光素子で発光させると共に、楽音信号の基準周波数からのピッチ誤差値に従って多色発光素子の発光量を制御する構成とした調律器を提案する。
【０００５】
この発明の請求項２では、請求項１記載の調律器において、楽音信号のピッチ誤差が基本周波数より低い側では、ピッチ誤差値に反比例して各色の発光量を小さくし、基準周波数と一致した状態では各音名に割当てた色と何れの音名にも割当てられていない他の色を交互に発光させる構成とした調律器を提案する。
【０００６】
この発明の請求項３では、基本周期抽出手段によって抽出した楽音信号の基本周期により、入力された楽音の音名を特定し、特定された音名に従って各音名に割当てた色を多色発光素子で発光させると共に、楽音信号の基準周波数からのピッチ誤差値に従って多色発光素子の点滅速度を制御する構成とした調律器を提案する。
この発明の請求項４では、請求項３記載の調律器において、楽音信号のピッチ誤差が基準周波数より低い側では、ピッチ誤差値の増加に従って点滅速度を速くし、基本周波数と一致した状態では各音名に割当てた色を高輝度で発光させる構成とした調律器を提案する。
【０００７】
この発明の請求項５では、請求項４記載の調律器において、楽音信号のピッチ誤差が基準周波数より高い側ではピッチ誤差値に係わらず一定速度で割当てられた色と何れの音名にも割当てられていない色を交互に発光させる調律器を提案する。
この発明の請求項６では、基本周期抽出手段により抽出した楽音信号の基本周期により入力された楽音の音名が予め定めた基準音名であることを検出する基準音名検出手段と、入力された楽音の各音名毎に基準周波数からのピッチ誤差値を算出するピッチ誤差値算出手段と、３色以上発光が可能な２つの発光素子からなる２色発光素子とを具備し、上記基準音名検出手段が基準音名と判定した楽音信号の場合、上記楽音の周波数が基準周波数より低い側にずれている状態では、基準周波数に合致したことを示す色と、基準周波数よりも低いことを示す色とを交互に発光させ、上記楽音の周波数が基準周波数より高い側にずれている状態では、基準周波数に合致したことを示す色と、基準周波数よりも高いことを示す色とを交互に発光させ、基準周波数に合致している状態では、基準周波数に合致したことを示す色を高輝度で点灯させ、上記基準音名検出手段が基準音名以外の音名と判定した楽音信号の場合、上記楽音の周波数が基準音名以外の音名の基準周波数より低い側にずれている状態では、基準音名以外の音名の基準周波数に合致したことを示す色と、基準音名以外の音名の基準周波数よりも低いことを示す色とを交互に発光させ、上記楽音の周波数が基準音名以外の音名の基準周波数より高い側にずれている状態では、基準音名以外の音名の基準周波数に合致したことを示す色と、基準音名以外の音名の基準周波数よりも高いことを示す色とを交互に発光させ、基準音名以外の音名の基準周波数に合致している状態では、基準音名以外の音名の基準周波数に合致したことを示す色を点滅発光させる構成とした調律器を提案する。
【０００８】
作用
この発明によれば、調律すべき楽音の基本周期を検出し、この基本周期により調律しようとしている楽音の音名を決定する。予め決められた音名に対して発光色を割り当てておく。従って、音名が決定されることにより、発光色が決定され、多色発光素子は指定された色を発光する。
これと共に、請求項１及び２で提案する調律器ではピッチ誤差に従って発光の輝度を制御する。つまり、ピッチ誤差が大きい程、発光色の輝度を低下させ、基準周波数に合致した状態で輝度を高輝度の状態に設定する。
【０００９】
これと共に、高輝度の状態で指定された色と何れの音名にも割当てられていない色とを交互に点滅させる。この点滅表示により楽器音が正規の基準周波数に調律されたことを知ることができる。
また、請求項３、４、５で提案する調律器では、基本周期の検出により音名を決定し、この音名の決定により多色発光素子の発光色を決定する。これと共に、ピッチ誤差値に応じて点滅速度を変化させる制御を行う。つまり、ピッチ誤差が大きい程、点滅速度を速くし、ピッチ誤差がゼロセントを含むある領域（以下ゼロセント領域と称す）に近づくに従って、点滅速度を遅くし、ピッチ誤差がゼロセント領域のとき指定された発光色を高輝度で静止発光させる。従って、この高輝度の表示により調律が正しく行われたことを知ることができる。
請求項５ではピッチ誤差がプラスセント誤差の場合に、指定された色と何れの音名にも割当てられていない他の色とを交互に点灯させ、楽器音の周波数が基準周波数より高い方にずれていることを表示する調律器を提案している。
【００１０】
この請求項６で提案する調律器では３色以上の発光が可能な２つの発光素子から成る２色発光素子を用いて、楽音が低い方にずれている場合は発光色の一方である、例えば赤を点滅表示させ、高い方にずれている場合は発光色の他方である、例えば緑を点滅させる。これと共に正規の基準周波数に合致した場合には黄色を点滅表示させる。従って、請求項６で提案する調律器では赤か緑以外の黄色が発光すると調律しようとしている楽器音が正規の音名の周波数に合致したことが解る。
【００１１】
これと共に、この請求項６では予め何れか一つの音名に基準音名を設定することができる構成を提案している。つまり基準音名として定めた音が入力された場合は、その楽器音の周波数が正規の基準周波数より低ければ赤と黄色を交互に発光し、また基準音名で定める正規の基準周波数より高い方にずれている場合は緑と黄色を交互に点滅し、正規の基準周波数に合致している場合は高輝度の黄色を発光する。
従って、請求項６で提案する調律器によれば、楽器音の音名の違いを区別して表示することはできないが、各音名毎に正規の基準周波数に合致したか否かを表示することができる点と、特定の基準と定めた音名に関しては他の音名と区別して表示することができる。
【００１２】
【発明の実施の形態】
図１にこの発明による調律器の一実施例を示す。図１において１はマイクロフォン、２は音声増幅器、３はマイクロコンピュータを示す。マイクロコンピュータ３は周知のように中央演算処理装置、ＲＯＭ、ＲＡＭ、入力ポート、、出力ポートなどによって構成されるが、ここではマイクロコンピュータ３が構成する種々の要素を具体的なブロックとして示す。４は赤、緑、青のＬＥＤを内蔵した多色発光素子を示す。
【００１３】
音声増幅器２によって増幅された楽音信号は入力ポート３Ａを通じて基本周期抽出手段３Ｂに取り込まれる。基本周期抽出手段３Ｂに取り込まれた楽音信号は例えばゼロクロス点の時間間隔を測定し、その時間間隔の中の最も長い周期を基本波としてとらえ、その周期の値を発光色決定手段３Ｃとピッチ誤差算出手段３Ｄに与える。
発光色決定手段３Ｃは基本周期抽出手段３Ｂで抽出した基本周期に従って、多色発光素子４の発光色を決定する。ここではギター用の調律器を例示して説明するものとすると、ギターの最も低い音を出す６Ｅ（５図参照）第６弦に赤、第５弦５Ａに緑、第４弦４Ｄに青、第３弦３Ｇにマゼンタ、第２弦２Ｂに黄、第１弦１Ｅ（最も高い音の弦）にシアンを割当てたとすると、第６弦の開放弦（指で抑えない状態）の音の基本周期の値に赤を表す記号を対応させて、例えばＲＯＭ等に記憶させる。つまり、各弦の開放弦の音の基本周期の値に対応してそれぞれに割当てた発光色の記号を対応させて記憶した参照表を用意し、基本周期が抽出された時点で、その基本周期から発光色を決定する。
【００１４】
図２に多色発光素子４の発光色と色の組合せを示す。多色発光素子４は入力端子Ｒ、Ｇ、Ｂを有し、入力端子Ｒには赤色を発光するＬＥＤが接続され、入力端子Ｇには緑色を発光するＬＥＤが接続され、入力端子Ｂには青色を発光するＬＥＤが接続されて構成されている。これらの各ＬＥＤが単体で発光する場合は、それぞれ赤、緑、青の色を発光する。赤、緑、青がすべて発光すると白、赤と緑が発光すると黄、赤と青が発光するとマゼンタ、緑と青が発光するとシアンとなる。これらの事項は光の３原色としてよく知られている。
【００１５】
図３に入力端子Ｒ、Ｇ、Ｂに与える電圧と発光色の組み合わせを示す。図中「１」は電圧印加、「０」は電圧無印加を示す。入力端子Ｒ、Ｇ、Ｂの全てに電圧を印加すると白色光を発光する、端子ＲとＧに電圧を印加すると黄色を発光する（以下図３参照）。
従って、決定手段３Ｃは基本周期抽出手段３Ｂで抽出した基本周期の値に従って出力端子ＴＲ、ＴＧ、ＴＢに各発光色を決定する「１、１、１」、「１、１、０」、「０、１、１」、「０、１、０」…のようなコード信号を出力する。このコード信号により多色発光素子４は目的とする色を発光する。
【００１６】
一方ピッチ誤差算出手段３Ｄでは入力された楽音信号の周期を各音名に定められている基準周波数の周期と比較し、そのずれ量をピッチ誤差値として出力する。このピッチ誤差算出手段３Ｄは具体的にはＲＯＭに書き込んだ周期値−セント値変換テーブルによって構成することができ、周期値によって決まるアドレスを読み出すと、入力した周期の値に対応したセント値が読み出される。
ピッチ誤差算出手段３Ｄで算出したピッチ誤差値を輝度制御手段３Ｅに入力する。輝度制御手段３Ｅはピッチ誤差算出手段３Ｄで算出したピッチ誤差値に従って、出力ポート３Ｆを通じて多色発光素子４の輝度を制御する。
【００１７】
多色発光素子４の輝度を制御するには例えば図４に示すように印加電圧の印加時間（デューティ比）を各色独立に制御することにより行うことができる。図４Ａはデューティ比が１００％の印加時間を示す。このデューティ１００％の印加時間の場合は輝度１００％（最高輝度）となる。
図４Ｂはデューティ比が７５％の印加時間を示す。このデューティ７５％の印加時間の場合は１００％の場合よりやや暗い輝度となる。
図４Ｃはデューティ比が５０％の印加時間を示す。このデューティ５０％の印加時間の場合は１００％の輝度の約半分の輝度となる。
【００１８】
図４Ｄはデューティ比が２５％の印加時間を示す。このデューティ２５％の印加時間の場合は５０％の輝度の約半分の輝度となる。
このデューティ比の選択はその他に１００％、５０％、２５％、１０％のように採ることもできる。また、図４に示した発光用の駆動パルスの周期ＴＳは１ｍｓ程度に採られ、図４Ｄに示すデューティ比２５％の駆動パルスの場合でも発光の繰り返しが目視できない周波数に選定する。上述のデューティ比を持つパルス発生手段の詳細に関して必要があれば本出願人が提案した調律器：特許第２６８１４３２号明細書を参照。
【００１９】
輝度制御手段３Ｅではピッチ誤差算出手段３Ｄから送られてくるピッチ誤差に従って、多色発光素子４に印加する駆動電圧の印加時間（デューティ比）を決定する。図５にセント誤差値と各発光色の輝度との設定例を示す。
図５は図１に示した実施例の全体の動作を説明するための図である。図５に示す領域Ａはギターの第６弦６Ｅ（最も低い音の弦）用に設定した発光色と輝度の関係を示す。領域Ｂはギターの第５弦５Ａ用に設定した発光色と輝度の関係を示す。以下領域Ｃは第４弦４Ｃ、領域Ｄは第３弦３Ｇ、領域Ｅは第２弦２Ｂ、領域Ｆは第１弦１Ｅのそれぞれ用に設定した発光色と輝度の関係を示す。
【００２０】
各領域Ａ〜Ｆに示すＸ０はそれぞれゼロセント領域を示す。ここではゼロセント領域は−２〜＋２セントの幅を持つものとする。
Ｘ１は−２〜−１０セントのピッチ誤差値に与える輝度領域を示す。ここでは、この輝度領域Ｘ１を第１輝度領域と称することにする。
Ｘ２は−１０〜−２５セントのピッチ誤差値に与える輝度領域を示す。ここではこの領域Ｘ２を第２輝度領域と称することにする。
Ｘ３は−２５セントより下側のピッチ誤差値に与える輝度領域を示す。ここではこの輝度領域Ｘ３を第３輝度領域と称することにする。
【００２１】
Ｚ１とＺ２は測定範囲外を表す領域を示す。つまり、この例では入力された音の周波数が−５０セント以上マイナス側にずれていた場合と、音名１Ｅの基準周波数より高い周波数にずれている状態では測定範囲外と定め、この測定範囲外の周波数が入力された場合は、例えば赤の２５％より更に暗い赤色を発光させ、この赤色発光により測定範囲外であることを表示する。これら第１輝度領域Ｘ１〜第３輝度領域Ｘ３の輝度の制御はピッチ誤差検出手段３Ｄから輝度制御手段３Ｅにピッチ誤差値を与えることにより制御される。
【００２２】
ギターは各弦に張力を加え、その張力を漸次高めながら正しいピッチに調律を行う。このため、一般には正しく調律されたことを表示するゼロセント領域Ｘ０が表示されると、その弦の調律が完了したものとみなされる。
これを第６弦６Ｅを例にとって説明する。第６弦６Ｅの音が−５０セントよりピッチ誤差がマイナス側にあるときは、測定範囲外と規定する。例えば赤の２５％より更に暗い赤色を発光する。第６弦６Ｅの音を徐々に高め、そのピッチ誤差値が−５０セントより小さくなると、多色発光素子４は第３輝度領域Ｘ３の輝度で赤を発光する。
【００２３】
第６弦６Ｅの音を更に高め（調律を行っているものが行う）そのピッチ誤差値が−２５〜−１０セントの第２輝度領域Ｘ２に入ると輝度は上述した５０％の輝度に制御され、５０％の輝度の赤色を発光する。第６弦６Ｅの音を更に高め、そのピッチ誤差値が−１０〜−２の範囲に入ってくると、多色発光素子４は７５％のデューティ比を持つ駆動パルスで駆動され、２番目に明るい赤色を発光する。第６弦の音の周波数を更に高め、その音の周波数がこの第６弦に指定した音の基準周波数の−２〜＋２セントのピッチ誤差の範囲に入るとゼロセント領域Ｘ０に達する。
【００２４】
この実施例ではピッチ誤差がゼロセント領域に入ると、各弦の音名に割当てた色と、何れの音名に割当てていない色を交互に点灯させる構成を付加した場合を示す。つまり、第６弦６Ｅで説明すると、第６弦６Ｅの音がゼロセント領域に入ると、赤色とそれ以外の色、ここでは白色とを交互に発光させる。この交互の発光によりゼロセント領域に入ったことを知ることができる。
ゼロセント領域Ｘ０で各音名に割当てた色と白色とを交互に発光させるために、図１に示す例ではゼロセント領域検出手段３Ｇと交互信号発生手段３Ｈとを設けた構成とした場合を示す。ゼロセント領域検出手段３Ｇは入力された音の周波数がゼロセント領域Ｘ０に入ったことを検出する。この検出信号により交互信号発生手段３Ｈを起動させ交互信号を発生させる。
【００２５】
交互信号は視覚的に点滅を視認することができる、たとえば１Ｈｚ程度の周波数の信号とされ、この交互信号を発光色決定手段３Ｃに入力して交互信号の周期に従って赤と白色の色を指定するコードを交互に発生させ、このコードを輝度制御手段３Ｅを通じて多色発光素子４に印加する。この結果多色発光素子４は赤と白とを交互に発光する。
ここで第５弦５Ａを調律する様子を説明する。第５弦の音が第６弦６Ｅの測定領域より低い周波数であった場合は、多色発光素子４は測定範囲外を表す、暗い赤い色を発光する。
【００２６】
第５弦に与える張力を強めるに従って、多色発光素子４は第６弦に指定した赤色の第３輝度領域Ｘ３、第２輝度領域Ｘ２、第１輝度領域Ｘ１で規定する表示状態を経てゼロセント領域Ｘ０に達する。従って、ここでは赤と白が交互に点灯する。
第５弦の張力を強め、第６弦に与えたゼロセント領域Ｘ０よりわずかでも高い周波数に変化すると、多色発光素子４は赤、白の交互点灯を停止し、直ちに第５弦に割当した、ここでは緑を第３輝度領域Ｘ３の輝度で点灯する。これにより調律の過程が跡切れることなく表示できるようにしている。つまり、第５弦〜第１弦の測定範囲は−４９８セントからゼロセント領域までとなる。但し、第２弦は第３弦との間隔が他の弦同士の間隔より半音狭いため−３９８セント〜０セントまでとなる。
【００２７】
以上の説明から明らかなように、この実施例では各弦が発生する音の周波数が、各弦に割当てられた周波数領域の外側であっても、多色発光素子４は他の弦に割当てられている色を発光し、自己が発している音の周波数がどの周波数領域にあるかを表示するから弦の状態が如何なる状態にあっても、その状態を知ることができる。
図６はこの発明の請求項３及び４で提案した調律器の実施例を示す。この実施例において発光色決定手段３Ｃで基本周期に応じて発光色を決定し、その決定により発光色決定手段３Ｃの出力端子ＴＲ、ＴＧ、ＴＢに各発光色を決定するコードを出力するまでの構成は図１の実施例と全く同じである。
【００２８】
この実施例の特徴は発光色決定手段３Ｃで決定した発光色を点滅速度制御手段３Ｉに入力し、この点滅速度を制御する構成とした点である。
従って、ピッチ誤差算出手段３Ｄが算出したピッチ誤差を点滅速度制御手段３Ｉに入力し、この点滅速度制御手段３Ｉにおいて、ピッチ誤差値に対応させて多色発光素子４の点滅速度を制御する。
点滅速度制御手段３Ｉはピッチ誤差値を周波数に変換する手段を内蔵し、ピッチ誤差値に対応した周波数の断続信号を生成させる。ピッチ誤差値が例えば−４５０セントの場合に最も高い周波数の、例えば３Ｈｚの断続信号を発生させ、ピッチ誤差地がゼロセントに近づくに従って徐々に周波数を低下させる。ピッチ誤差が、例えば−１０〜−２セントに達すると、例えば１〜０．５Ｈｚ程度の断続信号を発生させ、ピッチ誤差が−２〜＋２セントのゼロセント領域では輝度１００％で発光させる。
【００２９】
従って、この実施例ではピッチ誤差がマイナス側に大きく外れている状態では各弦に割当てた発光色の点滅速度は比較的速く点滅（例えば３Ｈｚ）し、弦の音を徐々に高めていくと、その点滅速度が遅くなる。従って点滅速度の変化により弦の調律の様子を知ることができる。弦の調律が正規の状態、つまり−２〜＋２セントの範囲に入ると点滅せずに輝度１００％で発光する。尚、上述ではピッチ誤差値がマイナス側に大きく外れている場合に点滅速度をもっとも速くした例を説明したが、点滅速度を最も遅くし、ゼロセント領域に近づくに従って点滅速度を速くする制御方法を採ることもできる。この考えは請求項３に含まれる。
【００３０】
この実施例では更に、プラスセント誤差検出手段３Ｊを設け、このプラスセント誤差検出手段３Ｊにより、弦の調律がプラス側にずれたことを検出する。この検出信号により交互信号発光手段３Ｈを起動させ、例えば１Ｈｚ程度の周波数を持つ交互信号を発生させ、この交互信号を発光色決定手段３Ｃに入力する。発光色決定手段３Ｃでは交互信号により、現在選択している色と、白色とを交互に選択して点滅速度制御手段３Ｉを通じて多色発光素子４に印加する。従って、どの弦を調律している場合でも、弦のピッチ誤差値がプラス側にずれた場合は、各弦に割当てられた色と白色とが交互に点滅し、その状態を知らせる。
【００３１】
図７に各弦に設定したピッチ誤差値と点滅速度との関係を示す。図７Ａは第６弦６Ｅ用に設定した点滅速度の例を示す。この例ではピッチ誤差が−４９８〜−２セントの間で赤色発光の点滅速度を３Ｈｚ〜０．５Ｈｚに設定し、−２〜＋２セントの間の状態では点滅させずに輝度１００％の赤を静止点灯を行わせる。更に＋２セント〜＋５０セントの範囲では赤と白を交互に点灯させる。（以下第５弦〜第１弦の設定状況は図７Ｂ〜Ｆを参照）。
尚、第２弦２Ｂの場合は第２弦と第３弦との間隔が他の弦同士の間隔より半音狭いため、図７Ｅに示すように、ピッチ誤差の下限を−３９８セントに採っている。
【００３２】
図８はこの発明の請求項５で提案する調律器の実施例を示す。この実施例では表示用の発光素子を３色発光素子４´を用いた実施例を示す。つまり、赤と緑のＬＥＤを内蔵し、赤と緑と黄色の３色を表示する２色発光素子４´を用いる
発光色決定手段３Ｃはピッチ誤差算出手段３Ｄの算出結果を取り込み、各弦毎に、例えばピッチ誤差が−２〜＋２セントの範囲では黄色を発光色に決定する。
−５０〜−２セントの範囲では赤を発光色に決定する。＋２〜＋５０セントの範囲では緑を発光色に決定する。
【００３３】
従って、各弦を調律する場合、どの弦を調律してもピッチ誤差が−２〜＋２セントの範囲に入れば黄色が表示され正規の周波数に調律されたことを表示する。また、ピッチ誤差が−５０〜−２セントの範囲では赤色が発光し、ピッチ誤差がマイナス側にずれていることが表示される。更に、ピッチ誤差が＋２〜＋５０セントの範囲では緑色が発光し、ピッチ誤差がプラスセント側にずれていることが表示される。これらの赤、緑、黄の発光は一定の周波数、例えば１Ｈｚ程度の周波数で点滅させることができる。
【００３４】
この実施例では更に、ある弦を基準周波数の弦として設定できる構成を付加している。基準周波数としては、例えば倍音として４４０Ｈｚの音Ａを発生する第５弦を基準弦と定めることができる。基準弦の音Ａが入力された場合、基本周期抽出手段３Ｂの検出出力により基準周波数検出手段３Ｋが基準周波数であることを検出し、その検出出力を交互信号発生手段３Ｈに入力する。交互信号発生手段３Ｈは基準周波数検出手段３Ｋが基準周波数の入力を検出したことによって、例えば１Ｈｚ程度の交互信号を発生する。この交互信号を発光色決定手段３Ｃに入力することにより、発光色決定手段３Ｃはピッチ誤差が−２〜＋２の範囲にあるときは輝度１００％の黄色を発光させ、ピッチ誤差が−５０〜−２セントの範囲では赤と黄を交互に発光させ、ピッチ誤差が＋２〜＋５０セントの範囲では緑時を交互に発光させる。従って、この交互発光及び黄発光の輝度を他の弦の黄発光と異ならせることにより基準弦を調律していることを表示させることができる。基準周波数検出手段３Ｋに基準周波数設定手段３Ｌを付設することにより、基準周波数を他の音名の周波数に設定を変更することができる。
【００３５】
図９に図８に示した実施例の各弦を調律する場合の２色表示素子４´の発光の様子を示す。各弦ともマイナスセント側では赤が点滅し、プラスセント側では緑が点滅し、−２〜＋２セントの範囲では黄色が点滅する。これと共に、基準弦として定めた弦ではマイナス線と側では赤時が交互に点灯し、プラス線と側では緑と黄が交互に点灯し、−２〜＋２セントの範囲では高輝度の黄色が点灯する。
尚、上述した全ての実施例では基本周期抽出手段３Ｂがギターの各弦の開放弦の音の基本周期を検出し、その検出結果に従って発光色を決定する実施例を説明したが、この発明はこの方式の調律器に応用することに限定されるものでなく、１２音律の中の予め設定した任意の音名の基本周期を抽出し、各音名の周波数のずれを表示させる調律器にも適用することができる。
【００３６】
【発明の効果】
以上説明したように、この発明によれば１個の多色発光素子４又は４´によりギターの弦が正しく調律されているか否かを表示することができる。従って、表示器に要するスペースをわずかにすることができるため、調律器の形状を小型化にすることができる。
然も、多色発光素子４を用いた場合には発光する色によってどの弦又は音名を調律しているかを表示することができるから、初心者には解りやすく、間違いなく調律を行うことができる利点が得られ、その効果は実用に供して頗る大である。
【図面の簡単な説明】
【図１】  この発明の一実施例を説明するためのブロック図。
【図２】  図１に用いた実施例に用いた多色発光素子の動作を説明するための図。
【図３】  図１に示した実施例に用いた発光色決定手段の動作を説明するための図。
【図４】  発光素子の輝度を制御する方法を説明するための波形図。
【図５】  図１に示した実施例の動作を説明するための図。
【図６】  この発明の請求項３及び４で提案した調律器の実施例を説明するためのブロック図。
【図７】  図６に示した実施例の動作を説明するための図。
【図８】  この発明の請求項５で提案した調律器の実施例を説明するためのブロック図。
【図９】  図８に示した実施例の動作を説明するための図。
【図１】
0004473478.tif 000002
【図２】
0004473478.tif 000003
【図３】
0004473478.tif 000004
【図４】
0004473478.tif 000005
【図５】
0004473478.tif 000006
【図６】
0004473478.tif 000007
【図７】
0004473478.tif 000008
【図８】
0004473478.tif 000009
【図９】
0004473478.tif 000010